(57)【要約】【課題】空気調和機の電装箱への雨水の浸入を防止すること。【解決手段】熱交用送風機２２の停止時は電装箱２４から送風機室２３への空気の流れがなく、排気口扉３２は排気口３１の当接面３１ａに重力により押さえつけられて接している。熱交用送風機２２が回転して送風機室２３内は負圧になり、圧力差により排気口扉３２は送風機室側へ揺動して排気口３１が開き、外気は外気導入口２８から機械室２６へ導入され、電装箱２４の吸気口２９から電装箱２４内に入り、電気部品３０を冷却して排気口３１から送風機室２３へ排気されるため、停止時に、風雨が強く、雨水を含んだ空気が送風機吹出口２７から逆流し送風機室２３内に浸入しても、電装箱２４には浸入することはない。【選択図】図１
2007057190.tif 000002
【特許請求の範囲】
【請求項１】
熱交用送風機の負圧により吸気口から排気口へ通気して内部の電気部品を冷却する電装箱を備えた室外機において、前記排気口を開閉する排気口扉を有することを特徴とした空気調和機。
【請求項２】
排気口周囲に設けられた当接面は傾斜し、排気口扉は重力によって当接面と接することを特徴とする請求項１に記載の空気調和機。
【請求項３】
排気口扉をばねで保持し、熱交用送風機による負圧が所定値より小さくなった場合に前記排気口扉がばねの力により閉じることを特徴とする請求項１に記載の空気調和機。
【請求項４】
電装箱内部に温度センサーを備え、前記温度センサー検出値が所定値より高くなった場合、熱交用送風機の回転数を所定値だけ上げることを特徴とする請求項１に記載の空気調和機。
【請求項５】
電装箱内部に温度センサーを備え、前記温度センサー検出値が所定値より高くなった場合、圧縮機の回転数を所定値だけ下げることを特徴とする請求項１に記載の空気調和機。
【発明の詳細な説明】
【技術分野】
【０００１】
本発明はインバーター等、冷却が必要な電気部品を有する空気調和機に関するものである。
【背景技術】
【０００２】
従来、この種の空気調和機の室外機は熱交用送風機による負圧を利用して、吸気口より導入した外気で電気部品を冷却し、熱交用送風機側へ排気している（例えば、特許文献１参照）。図５は特許文献１に記載された空気調和機を示すものである。図５において熱交用送風機の回転による負圧により機械室外気取入口１１から導入した外気を通気制御板１２を通して電気部品１０を冷却し、通気口９より排気を行っている。
【特許文献１】特開２００３−１０６５６９号公報
【発明の開示】
【発明が解決しようとする課題】
【０００３】
しかしながら、前記従来の構成では、熱交用送風機が停止し、通気口から排気が行われていない場合、本体空気吹出口や熱交換器を通過した雨水などが通気口から逆流して電装箱内に浸入し、電装部品の故障や、漏電などの危険を招く恐れがあるという課題を有していた。
【０００４】
本発明は、前記従来の課題を解決するもので、電気部品の冷却を確保し、電装箱内に雨水などの浸入防止を図った空気調和機室外機を提供することを目的とする。
【課題を解決するための手段】
【０００５】
前記従来の課題を解決するために、本発明の空気調和機は、熱交用送風機の負圧により吸気口から排気口へ通気して内部の電気部品を冷却する電装箱を備えた室外機において、前記排気口を開閉する排気口扉を有することを特徴としたものである。これによって電装箱から排気行われていない場合に排気口扉を閉じることにより、雨水などの浸入を防止する。
【発明の効果】
【０００６】
本発明の空気調和機は、電装箱から排気行われていない場合に排気口扉を閉じることにより、雨水などの浸入を防止することができる。
【発明を実施するための最良の形態】
【０００７】
第１の発明は熱交用送風機の負圧により吸気口から排気口へ通気して内部の電気部品を冷却する電装箱を備えた室外機において、排気口を開閉する排気口扉を有することにより、運転時は排気口扉を開けて吸気口から導入した空気で電気部品の冷却を確保し、排気が行われていないときに排気口扉を閉じることにより、排気口から逆流する空気に混じって電装箱内に雨水などが進入し、電気部品の故障や漏電等危険な状態を招くことを防止することができる。
【０００８】
第２の発明は、特に、第１の発明の排気口扉を排気口周囲に設けられた当接面は傾斜し、排気口扉は重力によって当接面と接することにより、熱交送風機が運転し排気扉にかかる負圧が重力よりも強くなり排気扉が開いて電気部品の冷却を確保し、熱交用送風機の停止時は重力により閉じて、排気口から逆流する空気に混じって電装箱内に雨水などが進入し、電気部品の故障や漏電等危険な状態を招くことを防止することができる。
【０００９】
第３の発明は、特に、第１の発明の排気口扉をばねで保持し、熱交用送風機による負圧が所定値より小さくなった場合に前記排気口扉がばねの力により閉じることにより、熱交用送風機による負圧が所定値より大きい場合は排気口扉を開き電気部品を冷却し、運転停止等熱交用送風機による負圧が所定値より小さくなった場合に前記排気口扉がばねの力により閉じることで、運転時は排気口扉を開けて吸気口から導入した空気で電気部品の冷却を確保する。排気が行われていないときに排気口扉を閉じることにより排気口から逆流する空気に混じって電装箱内に雨水などが進入し、電気部品の故障や漏電等危険な状態を招くことを防止することができる。
【００１０】
第４の発明は、特に、第１の発明の電装箱内部に温度センサーを備え、前記温度センサー検出値が所定値より高くなった場合、熱交用送風機の回転数を所定値だけ上げることにより、電気部品の冷却効率をさらに向上し、電気部品の劣化を防止し寿命と信頼性を向上することができる。
【００１１】
第５の発明は、特に、第１の発明の電装箱内部に温度センサーを備え、前記温度センサー検出値が所定値より高くなった場合、圧縮機の回転数を所定値だけ下げることにより、電気部品の温度上昇を抑制し、電気部品の劣化を防止し寿命と信頼性を向上することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室外機の正面からの断面模式図、図２は図１の電装箱近傍の拡大図である。図１において、室外機２１は熱交用送風機２２を備えた送風機室２３と、電装箱２４と圧縮機２５を備えた機械室２６とから構成されている。
【００１４】
送風機吹出口２７から熱交用送風機２２の回転により熱交換した空気を吹き出し、送風機室２３が負圧になることにより、外気は外気導入口２８から機械室２６へ導入され、電装箱２４の吸気口２９から電装箱２４内に入り、電気部品３０を冷却して排気口３１から送風機室２３へ排気される。
【００１５】
排気口３１には排気口扉３２を備え、排気口扉３２は排気口３１を開閉できるように扉の上端面に水平な回転軸を備え、送風機室２３側へ揺動できるように設置され、排気口３１周囲に設けられた当接面３１ａが排気の上流側に傾斜しており重力による鉛直方向力によって当接面３１ａと接している。図１と図２において、排気口扉３２の実線が揺動して排気口３１が開いている状態、破線が閉じている状態を示している。なお、排気口扉３２の重量が小さいほど負圧による開口が大きくなる。
【００１６】
温度センサー３３は電装箱２４内に設置され、検出値を電気部品３０に出力する。熱交用送風機２２と圧縮機２５は電気部品３０に接続されており、電気部品３０によりそれぞれ回転数の制御を行うように構成している。
【００１７】
以上のように構成された空気調和機について、以下その動作、作用を説明する。まず、室外機２１停止時は、熱交用送風機２２及び圧縮機２５は停止している。このとき電装箱２４から送風機室２３への空気の流れがなく、排気口扉３２は排気口３１の当接面３１ａに重力により押さえつけられて接している。従って排気口３１は閉じた状態であり、風雨が強く、雨水を含んだ空気が送風機吹出口２７から逆流し送風機室２３内に浸入しても、電装箱２４には浸入することはない。
【００１８】
次に、室外機２１運転時は、熱交用送風機２２が回転して送風機室２３内は負圧になり、電装箱内は吸気口２９と外気導入口２８に連通しているので大気圧に等しい。この圧力差により排気口扉３２は送風機室２３側へ揺動して排気口３１が開き、外気は矢印Ａで示すように外気導入口２８から機械室２６へ導入され、電装箱２４の吸気口２９から電装箱２４内に入り、電気部品３０を冷却して排気口３１から送風機室２３へ排気される。  運転時は、図示しない熱交換器側から送風機室２３内に雨水が入った場合でも、電装箱２４から送風機室２３側へ排気が行われているために、電装箱２４内への雨水の浸入は起こらない。
【００１９】
次に、本発明の実施の形態１の空気調和機の運転制御についてフローチャート図３を用いて説明する。ＳＴＥＰ１で電装箱内の温度を検出し、ＳＴＥＰ２で検出温度Ｔ１と第１所定値を比較し、検出温度Ｔ１が第１所定値以上の場合はＳＴＥＰ３へ進み熱交用送風機２２の回転数を所定値だけ上げて、導入空気量を増加させて電気部品３０のさらなる冷却を行いＳＴＥＰ４へ進む。第１所定値未満の場合には回転数はそのままでＳＴＥＰ４へ進む。
【００２０】
ＳＴＥＰ４では検出温度Ｔ１と第２所定値を比較し、検出温度Ｔ１が第２所定値以上の場合はＳＴＥＰ５へ進み圧縮機２５の回転数を所定値だけ下げて、電気部品３０の発熱量を減らしてルーチンを終了する。第２所定値未満の場合には回転数はそのままでルーチンを終了する。
【００２１】
以上のように、本実施の形態においては、排気口３１を開閉する排気口扉３２を有し、排気口周囲に設けられた当接面３１ａは傾斜し、排気口扉３２は重力による鉛直方向力によって当接面３１ａと接する構成としたので、運転時は排気口扉３２を開けて吸気口２９から導入した空気で電気部品３０の冷却を確保し、排気が行われていないときに排気口扉３２を閉じることにより、排気口３１から逆流する空気に混じって電装箱２４内に雨水などが進入し、電気部品３０の故障や漏電等危険な状態を招くことを防止することができ、さらに、電装箱２４内の温度が所定値より上昇しないように熱交用送風機２２と圧縮機２５を制御するので、電気部品３０の劣化を防止し寿命と信頼性を向上することができる。
【００２２】
（実施の形態２）
図４は、本発明の第２の実施の形態における空気調和機の室外機の電装箱近傍の断面模式図である。本発明の第２の実施の形態の空気調和機の構成は図４に示す排気口扉付近以外は第１の実施例と同一であり、その説明を省略する。
【００２３】
図４において排気口扉３２は排気口３１を開閉できるように、扉の上端面に水平な軸を備え、送風機室２３側へ揺動できるように設置されている。実線が揺動して排気口３１が開いている状態、破線が閉じている状態を示している。ばね３４は排気口扉３２を閉じる方向にばね力が加わるように設置されている。
【００２４】
以上のように構成された空気調和機について、以下その動作、作用を説明する。まず、室外機２１停止時は、熱交用送風機２２及び圧縮機２５は停止している。このとき電装箱２４から送風機室２３への空気の流れがなく、排気口扉３２は排気口３１の当接面３１ａにばね３４により押さえつけられて接している。従って排気口３１は閉じた状態であり、風雨が強く、雨水を含んだ空気が送風機吹出口２７から逆流し送風機室２３内に浸入しても、電装箱２４には浸入することはない。
【００２５】
次に、室外機２１運転時は、熱交用送風機２２が回転して送風機室２３内は負圧になり、電装箱内は吸気口２９と外気導入口２８に連通しているので大気圧に等しい。この圧力
差により排気口扉３２は送風機室２３側へ揺動して排気口３１が開き、外気は外気導入口２８から機械室２６へ導入され、電装箱２４の吸気口２９から電装箱２４内に入り、電気部品３０を冷却して排気口３１から送風機室２３へ排気される。運転時は、図示しない熱交換器側から送風機室２内に雨水が入った場合でも、電装箱２４から送風機室２３側へ排気が行われているために、電装箱２４内への雨水の浸入は起こらない。
【００２６】
以上のように、本実施の形態においては、排気口３１を開閉する排気口扉３２を有し、ばね３４を排気口扉３２が閉じる方向にばね力が加わるように取り付ける構成としたので、運転時は排気口扉３２を開けて吸気口３１から導入した空気で電気部品３０の冷却を確保し、排気が行われていないときに排気口扉３２を閉じることにより、排気口３１から逆流する空気に混じって電装箱２４内に雨水などが進入し、電気部品３０の故障や漏電等危険な状態を招くことを防止することができる。
【産業上の利用可能性】
【００２７】
以上のように、本発明にかかる空気調和機は、電気部品を冷却した空気の排気口を停止時に閉じることが可能となるので、屋外に設置し電気部品の冷却が必要な自動販売機等の用途にも適用できる。
【図面の簡単な説明】
【００２８】
【図１】本発明の実施の形態１における空気調和機の室外機の断面模式図
【図２】図１の電装箱近傍の拡大図
【図３】本発明の実施の形態１における空気調和機のフローチャート
【図４】本発明の実施の形態２における空気調和機の室外機の電装箱近傍の断面図
【図５】従来の空気調和機の室外機のの部分断面図
【符号の説明】
【００２９】
２２  熱交用送風機
２４  電装箱
２５  圧縮機
２９  吸気口
３０  電気部品
３１  排気口
３１ａ  当接面
３２  排気口扉
３３  温度センサー
３４  ばね
【図１】
2007057190.tif 000003
【図２】
2007057190.tif 000004
【図３】
2007057190.tif 000005
【図４】
2007057190.tif 000006
【図５】
2007057190.tif 000007